(57)【要約】【課題】表示板の変更（案内や広告の変更）を極めて簡単に行なえるようにし、しかも風雨によって発生する表示部の損傷や経時変化による表示部の劣化を防止し、更に使用に当たっての取扱いを簡素化することが出来る立看板を提供する【解決手段】所定の構造で立設可能とし、一定の間隔を持たせた２本の脚柱１、１間上部に、平面視四角形で平板状の取付プレート５を取付け固定し、該取付プレート５の表面に、表示板１６を挿入した透明ケース７を配設する。【選択図】          図１
2007086705.tif 000002
【特許請求の範囲】
【請求項１】
所定の構造で立設可能とし、一定の間隔を持たせた２本の脚柱間上部に、平面視四角形で平板状の取付プレートを取付け固定し、該取付プレートの表面に、表示板を挿入した透明ケースを配設したことを特徴とする立看板。
【請求項２】
透明ケースに於いて、巾方向の両側端部を上方に向かって所定角度傾斜させることによって、該透明ケースに表示板を挿入した時、該表示板の表面側が前記透明ケースと接触しないように、隙を持たせたことを特徴とする請求項１記載の立看板。
【発明の詳細な説明】
【技術分野】
【０００１】  本発明は、道路工事等の案内或いは広告等に用いる立看板に関するものである。
【背景技術】
【０００２】  立看板の種類は多種多様である。例えば、一定の間隔を置いて２本の棒状部材（脚柱）の一端を地面に刺し入れて、該棒状部材間の上部に表示版（紙製や布製或いは樹脂シート製等）を取り付けたような非常に簡易なものから、主脚と補助脚を一対用意し、一定間隔を置いた２本の主脚の上部と下方部分に棒状部材を横設して枠状となし、この枠状上部に表示板を取り付けると共に、前記主脚の適所に補助脚を配設することで、立設可能とさせたもの等がある。
【発明の開示】
【発明が解決しようとする課題】
【０００３】  然しながら、多種多様な構造を持つ立看板に於ける使用状態を見ると、簡易なものは、使い捨てであり、特に案内や広告を記載した表示板に於いては、必要に応じて、次々に作り直していくのが普通である。そして、比較的しっかりした看板に於いては、案内や広告の内容を変える場合、表示板を取り替えるか、今までの案内や広告を消して、新しいものに書き換える方法が取られており、更に立看板は、通常屋外に設置されるため、風雨に晒される度合が多くなり、看板にとって、最も重要な表示部分が経時変化や損傷を受けたりして、見えにくくなり、補修を行なわなくてはならない場合が多々ある。【０００４】  本発明は、こうした従来技術の問題点に鑑み、看板にとって最も重要な表示板の変更（案内や広告の変更）を極めて簡単に行なえるようにし、しかも風雨によって発生する表示部分の損傷や経時変化による表示部分の劣化を防止し、更に使用に当たっての取扱いを簡素化することが出来る立看板を提供することを目的としている。
【課題を解決するための手段】
【０００５】  上記目的を達成するために、請求項１記載の発明は、所定の構造で立設可能とし、一定の間隔を持たせた２本の脚柱間上部に、平面視四角形で平板状の取付プレートを取付け固定し、該取付プレートの表面に、表示板を挿入した透明ケースを配設したものである。このように構成したことにより、表示板が直接風雨に晒されることがなくなり、表示部分の損傷や経時変化による表示部分の劣化を防止することが出来るばかりでなく、透明ケースに対する表示板の挿入、取り出しが簡単であるので、案内や広告の変更が極めて簡単に行なえ、使用に当たっての取扱いを簡素化することが出来る。【０００６】  請求項２記載の発明は、透明ケースに於いて、巾方向の両側端部を上方に向かって所定角度傾斜させることによって、該透明ケースに表示板を挿入した時、該表示板の表面側が前記透明ケースと接触しないように、隙を持たせたものである。このように構成したことにより、透明ケースの巾方向であって、上側（表面側）の長さが下側の長さより小さくなり、しかも、表示板の巾方向長さが、前記透明ケースの上側（表面側）の長さより若干大きく設定されているので、表示板表面が透明ケースに接触しなくなり、案内や広告の表示部分を消したり、見難くすることがなくなり、結果として、表示板の表示部分の修正を無くすことが出来る。
【発明の効果】
【０００７】  本発明は、以上説明したように構成されているので、下記に説明するような効果を奏する。【０００８】  請求項１記載の立看板に於いては、所定の構造で立設可能とし、一定の間隔を持たせた２本の脚柱間上部に、平面視四角形で平板状の取付プレートを取付け固定し、該取付プレートの表面に、表示板を挿入した透明ケースを配設したので、表示部分の損傷や経時変化による表示部分の劣化を防止することが出来るばかりでなく、案内や広告の変更が極めて簡単に行なえ、使用に当たっての取扱いを簡素化することが出来る【０００９】  請求項２記載の立看板に於いては、透明ケースに於いて、巾方向の両側端部を上方に向かって所定角度傾斜させることによって、該透明ケースに表示板を挿入した時、該表示板の表面側が前記透明ケースと接触しないように、隙を持たせたので、表示板表面が透明ケースに接触しなくなり、案内や広告の表示部分を消したり、見難くすることがなくなり、表示板の表示部分の修正を無くすことが出来る。
【発明を実施するための最良の形態】
【００１０】  以下、本発明の実施の形態を図面に基づき詳細に説明する。図１は本発明による立看板の一実施形態を示す正面図、図２は図１によるＸ矢視図であって、図３は本発明による立看板の取付プレートの一実施形態を示す詳細斜視図、図４は本発明による立看板の透明ケースの一実施形態を示す詳細斜視図である。図５は図４のＡ−Ａ断面図であり、図６は同じく図４のＢ−Ｂ断面図である。図７は図４のＡ−Ａ断面に相当し、透明ケースの他の実施形態を示す断面図、図８は本発明による立看板の取付プレートの他の実施形態を示す詳細斜視図であって、図９は本発明による立看板の取付プレートの他の実施形態に対応する透明ケースの斜視図である。【００１１】  それでは、図１と図２を用いて、本発明による立看板の大枠について説明する。１は脚柱で、図１に示すように、左右１対となっている。該脚柱１，１は一定間隔を置いて、その上部には棒状部材３が、下方部分には棒状部材４が横設されており、枠状を形成している。２は補助脚であって、図１から理解出来るように、脚柱１の長手方向略中央部の側部に、その一端側が適切な手段によって取り付けられている。該補助脚２は図２に示すように、脚柱１に対して、所定の角度をもって取り付けられており、脚柱１取付け側とは反対側の端部が、前記脚柱１の下端部と協働して、棒状部材３と棒状部材４が横設されて枠状となった脚柱１，１を立設可能としている。棒状部材８は脚柱１と補助脚２の下方に取り付けられ、脚柱１と補助脚２の角度を規制するもので、枠状となった脚柱１，１の立設状態を安定させるものである。尚、補助脚２は、脚柱１に対して、必ずしも固定させる必要はなく、折り畳みとすることも可能であり、それによって、持ち運びが楽になり、保管もし易くなる。【００１２】  ５は、左右両側を接着或いはビス止め等によって、脚柱１，１に取付け固定された取付プレートであって、該取付プレート５表面には、後で詳しく説明する透明ケース７が配設されている。６はストッパ部材で、取付プレート５に適切な手段で取り付けられていて、前記透明ケース７の取付プレート５への配設位置を正確に行なわせるためのものである。９は棒状部材４，４の上に配設した平板状の載置台であり、該載置台９の上には錘１０が載せられている。錘１０は枠状となった脚柱１，１（を含む立看板そのもの）の立設をより安定させるために使用するものであり、従って、必要に応じて使用することになる。更に、錘１０は、どのようなものでも良いが、土のう等が好適である。【００１３】  続いて、図３と図４を基に、図５及び図６を参照しながら、取付プレート５そして透明ケース７について詳細に説明する。取付プレート５は、平面視四角形の平板で、その材質は、特に限定するものではないが、木材やプラスチックを使用するのが良い。１１はマジックテープであり、両面接着テープ状の取付シート１２を介して、取付プレート５に取り付けられている。透明ケース７は、平面視四角形の平板状を呈し、空間部分である内部１５を有する透明のケースであって、比較的硬度の高いプラスチックでもって作られている。該透明ケース７の裏面（図４に於いて裏側）には、前記取付プレート５に対応するよう両面接着テープ状の取付シ���ト１４を介して、マジックテープ１３が取り付けられている。本実施形態に於いては、マジックテープを短冊状即ち平面視長方形とし、取付プレート５、透明ケース７それぞれが、共に３枚使用したものを取り上げているが、これに限定するものでないことは云うまでもなく、１枚使用としても良い。又、取付シートを介して相手部材に取り付けるようにしたが、取付シートを介さず、接着剤等により、直接取り付けるようにすることも可能である。【００１４】  引き続き、図５及び図６に基づき、透明ケース７について、更に説明する。透明ケース７が平面視四角形の平板状を呈し、空間部分である内部１５を有する透明のケースであり、比較的硬度の高いプラスチックでもって作られていることは、既に述べた通りであるが、特徴的なことは、巾方向（図１に於ける左右方向）両側端部を図６で理解出来るように、上方（透明ケースの表面側）に向かってα°傾斜させていることである。この傾斜角αは、透明ケース７と該透明ケース７の内部１５に挿入される表示板１６との関連で設定されるものである。【００１５】  ここで、表示板１６の透明ケース７への挿入方法について、説明する。平面視四角形の平板状を呈し、空間部分である内部１５を有する透明のケースとして形成された透明ケース７は、一方側が開放されていて、この開放部分が表示板１６の挿入口として機能する。今仮に、必要事項を表示した表示板１６を挿入する場合を考える。図６は、その状態を示す部分断面図であるが、表示板１６の表面と透明ケース７の上面裏側には、透明ケース７の両側端部を傾斜させたことで発生する隙間が形成されている。この隙間は、透明ケースの巾方向であって、上側（表面側）の長さが下側の長さより小さくなり、しかも、表示板の巾方向の長さが、前記透明ケースの上側（表面側）の長さより若干大きく設定されていることで発生するもので、表示板１６の表面と透明ケース７の上面裏側との接触を防止し、これによって、挿入時に発生し易い、表示板１６に表示した必要事項の損傷を防止することが出来るようになる。例えば、表示板１６を白板（薄型の白色マジックボード等）として案内事項をマジックでもって表示したような場合、前記隙間により、表示部が透明ケース７と接触しないので、表示部分が部分的に消えたりして、見難くなるということはなくなる。【００１６】  表示板１６の透明ケース７への挿入は、透明ケース７の開放部が下側になるように行なわれ、その状態で取付プレート５へ取付け固定されるのである。勿論取り付けは、マジックテープで行なわれているのは云うまでもないことである。この時、開放側が下側となっているが、ストッパ部材６，６によって表示板１６の落下は防止されている。従って、ストッパ部材６，６は、単に透明ケース７の配設位置を正確にするだけでなく、表示板１６の落下防止の機能をも有していることになる。【００１７】  次に、本発明による立看板に於ける透明ケースの他の実施形態について、図７を用いて説明することにする。尚、同一部品については、同一符号を付したので、念の為付言しておくこととする。透明ケース１７は、既に説明した透明ケース７と比較して、キャップ１８を用いている点で相違している。故に、透明ケース１７自��は、平面視四角形の平板状を呈し、空間部分である内部１５を有する透明のケースであって、比較的硬度の高いプラスチックでもって作られている透明ケース７と全く同じである。図面に於いて、右側の開放部が表示板１６の挿入口であり、表示板１６挿入後キャップ１８でもって、蓋をするようになっている。この様にして、表示板１６が挿入された透明ケース１７は、キャップ１８使用側を上にして、マジックテープ１３によって、取付プレート５に取付け固定される。【００１８】  図８は、本発明による立看板の取付プレートの他の実施形態を示す詳細斜視図であって、図９に示した、他の実施形態の取付プレートに対応する透明ケースの斜視図を併せ参照しながら説明する。尚、同一部品については、同一符号を付したので、念の為付言しておくこととする。本実施形態に於ける取付プレートは、透明ケースを取り付ける手段に於いて、先に説明した取付プレートと相違している。即ち、本実施形態が、接着剤等で取付プレート５に取り付けたガイド部材１９（左右２個づつ）の凹部であるガイド部分に透明ケース７を挿入配設するのに対し、先に説明した実施形態は、マジックテープを使用するという点で、その構成を異にしているのである。従って、取付プレート単体そして透明ケース単体は、全く同一のものが使用可能であるのは、云うまでもないことである。【００１９】  尚、本発明による立看板は、立設可能であって、一定の間隔を持たせた２本の脚柱を使用するタイプの看板であれば、どのような構造のものでも応用可能であるので、一言申し述べておくことにする。
【図面の簡単な説明】
【００２０】
【図１】本発明による立看板の一実施形態を示す正面図である。
【図２】図１によるＸ矢視図である。
【図３】本発明による立看板の取付プレートの一実施形態を示す詳細斜視図である。
【図４】本発明による立看板の透明ケースの一実施形態を示す詳細斜視図である。
【図５】図４のＡ−Ａ断面図である。
【図６】図４のＢ−Ｂ断面図である。
【図７】図４のＡ−Ａ断面に相当し、透明ケースの他の実施形態を示す断面図である。
【図８】本発明による立看板の取付プレートの他の実施形態を示す詳細斜視図である。
【図９】本発明による立看板の取付プレートの他の実施形態に対応する透明ケースの斜視図である。
【符号の説明】
【００２１】  １  脚柱
２  補助脚
３  棒状部材
４  棒状部材
５  取付プレート
６  ストッパ部材
７，１７  透明ケース
８  棒状部材
９  載置台
１０  錘
１１，１３  マジックテープ
１２，１４  取付シート
１５  内部
１６  表示板
１８  キャップ
１９  ガイド部材
【図１】
2007086705.tif 000003
【図２】
2007086705.tif 000004
【図３】
2007086705.tif 000005
【図４】
2007086705.tif 000006
【図５】
2007086705.tif 000007
【図６】
2007086705.tif 000008
【図７】
2007086705.tif 000009
【図８】
2007086705.tif 000010
【図９】
2007086705.tif 000011